【事件の表示】
　特許第３２３７２１６号「液晶表示装置」の請求項１に係る特許に対する特許異議の申立てについて、次のとおり決定する。
【結　論】
　訂正を認める。
　本件特許異議の申立てを却下する。
【理　由】
１．手続の経緯
　本件特許第３２３７２１６号の特許請求の範囲の請求項１〜４に係る発明は、平成４年７月８日に特許出願され、平成１３年１０月５日に設定登録がなされ、浅野浩一より特許異議の申立がなされ、取消理由通知がなされ、その指定期間内である平成１４年１０月１５日に訂正請求がなされたものである。
２．訂正の適否について
　ア．訂正の内容
　訂正事項ａ
「【請求項１】　液晶分子がツイスト配向され、屈折率異方性をΔｎＴＮ、ギャップをｄＴＮとしたとき、ΔｎＴＮｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、
　　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭｄＬＡＭの値が負である少なくとも１枚の捩れ位相板とを備えたことを特徴とする液晶表示装置。
　【請求項２】　前記捩れ位相板の捩れピッチｐＬＡＭは可視光帯域の下限の波長の１／５より小さいことを特徴とする請求項１記載の液晶表示装置。
　【請求項３】　前記捩れ位相板の平均屈折率をｎａｖとしたとき、前記捩れ位相板の捩れピッチｐＬＡＭは（０．４／ｎａｖ）μｍよりも小さいことを特徴とする請求項１記載の液晶表示装置。
　【請求項４】　前記捩れ位相板のΔＮＬＡＭｄＬＡＭの値が−３０〜−６００ｎｍで、前記捩れ位相板のツイスト角は５回転以上であることを特徴とする請求項１記載の液晶表示装置。」を、
「【請求項１】　液晶分子がツイスト配向され、屈折率異方性をΔｎＴＮ、ギャップをｄＴＮとしたとき、ΔｎＴＮｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、前記ツイスト配向の捩れピッチｐＬＡＭは可視光帯域の下限の波長の１／５より小さく、
　　　ΔＮＬＡＭ≡ｎｏ−√｛（ｎｅ２＋ｎｏ２）／２｝で表わされる有効屈折率異方性ΔＮＬＡＭと厚さｄＬＡＭの積ΔＮＬＡＭｄＬＡＭの値が負である少なくとも１枚の捩れ位相板とを備えたことを特徴とする液晶表示装置。
　【請求項２】　前記捩れ位相板のΔＮＬＡＭｄＬＡＭの値が−３０〜−６００ｎｍであることを特徴とする請求項１記載の液晶表示装置。
　【請求項３】　液晶分子がツイスト配向され、屈折率異方性をΔｎＴＮ、ギャップをｄＴＮとしたとき、ΔｎＴＮｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、前記高分子液晶フィルムの平均屈折率をｎａｖとしたとき、前記ツイスト配向の捩れピッチｐＬＡＭが（０．４／ｎａｖ）μｍよりも小さく、
　　　ΔＮＬＡＭ≡ｎｏ−√｛（ｎｅ２＋ｎｏ２）／２｝で表わされる有効屈折率異方性ΔＮＬＡＭと厚さｄＬＡＭの積ΔＮＬＡＭｄＬＡＭの値が負である少なくとも１枚の捩れ位相板とを備えたことを特徴とする液晶表示装置。」と訂正する。
　訂正事項ｂ
　特許明細書の段落【０００７】の記載
「【課題を解決する為の手段】
　請求項１の発明は、液晶分子がツイスト配向され、屈折率異方性をΔｎＴＮ、ギャップをｄＴＮとしたとき、ΔｎＴＮｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、
　　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭｄＬＡＭの値が負である少なくとも１枚の捩れ位相板とを備えたものである。請求項２の発明は、捩れ位相板の捩れピッチｐＬＡＭは可視光帯域の下限の波長の１／５より小さいものである。請求項３の発明は、捩れ位相板の平均屈折率をｎａｖとしたとき、捩れ位相板の捩れピッチｐＬＡＭが（０．４／ｎａｖ）μｍよりも小さいものである。請求項４の発明は、捩れ位相板のΔＮＬＡＭｄＬＡＭの値が−３０〜−６００ｎｍで、捩れ位相板のツイスト角は５回転以上である。」を、
「【課題を解決する為の手段】
　請求項１の発明は、液晶分子がツイスト配向され、屈折率異方性をΔｎＴＮ、ギャップをｄＴＮとしたとき、ΔｎＴＮｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、前記ツイスト配向の捩れピッチｐＬＡＭが可視光帯域の下限の波長の１／５より小さく、
　　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭｄＬＡＭの値が負である少なくとも１枚の捩れ位相板とを備えたものである。また、請求項２の発明は、捩れ位相板のΔＮＬＡＭｄＬＡＭの値が−３０〜−６００ｎｍとしたものである。
　さらに請求項３の発明は、液晶分子がツイスト配向され、屈折率異方性をΔｎＴＮ、ギャップをｄＴＮとしたとき、ΔｎＴＮｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、前記高分子液晶フィルムの平均屈折率をｎａｖとしたとき、前記ツイスト配向の捩れピッチｐＬＡＭは（０．４／ｎａｖ）μｍよりも小さく、
　　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭｄＬＡＭの値が負である少なくとも１枚の捩れ位相板とを備えたものである。」と訂正する。
　訂正事項ｃ
　特許明細書の段落【０００８】の記載
「この発明によれば、ツイスト配向された液晶層のΔｎＴＮｄＴＮの値が正の液晶セルのと、この液晶セルの外側にこれを挟むように一対の偏光板を配置し、一方の偏光板と液晶セルの間に、
　　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭｄＬＡＭの値が負となる有機高分子フィルムからなる少なくとも１枚の捩れ位相板とを配置したので、この捩れ位相板によって液晶セルを垂直に透過する光と、斜めに透過する光の各光路長の差が補償され、多階調中間調表示の際の明るさの逆転現象が抑制でき、多階調中間調表示における視野角特性が改善される。この場合、請求項２に記載の如く、捩れ位相板は分子の捩れピッチｐＬＡＭを入射光の可視光帯域の下限の波長の１／５より小さくすることにより、捩れ位相板の有効屈折率異方性ΔＮＬＡＭを負の値にすることができる。また、請求項３に記載の如く、入射光の波長λが可視光の波長帯域の下限値の０．４μｍで、捩れ位相板の平均屈折率をｎavとしたとき、捩れ位相板の捩れピッチｐＬＡＭが（０．４／ｎav）μｍよりも小さければ、入射光の選択反射による捩れ位相板の着色（色彩を帯びること）を防ぐことができる。また、請求項４に記載のごとく、捩れ位相板のΔＮＬＡＭｄＬＡＭの値が−３０〜−６００ｎｍで、捩れ位相板のツイスト角が５回転以上であれば、より一層、多階調中間調表示において正しい階調を視角によらず安定して表示できる。さらに、請求項５に記載の如く、分子が５回転以上でツイスト配向された高分子液晶フィルムを保護膜で挟んだ構造の捩れ位相板を用いれば、各捩れ位相板の製造が容易で、薄く形成することができ、これにより液晶表示装置の小型化が図れる。」を、
「この発明によれば、ツイスト配向された液晶層のΔｎＴＮｄＴＮの値が正の液晶セルのと、この液晶セルの外側にこれを挟むように一対の偏光板を配置し、一方の偏光板と液晶セルの間に、ツイスト配向の捩れピッチｐＬＡＭが可視光帯域の下限の波長の１／５より小さく、
　　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭｄＬＡＭの値が負の有機高分子フィルムからなる少なくとも一枚の捩れ位相板とを配置したので、この捩れ位相板によって液晶セルを垂直に透過する光と、斜めに透過する光の各光路長の差が補償され、多階調中間調表示の際の明るさの逆転現象が抑制でき、多階調中間調表示における視野角特性が改善される。この場合、請求項２に記載の如く、捩れ位相板のΔＮＬＡＭｄＬＡＭの値が−３０〜−６００ｎｍとすることにより、多階調中間調表示において正しい階調を視角によらず安定して表示できる。また、請求項３に記載の如く、入射光の波長λが可視光の波長帯域の下限値の０．４μｍで、捩れ位相板の平均屈折率をｎavとしたとき、捩れ位相板の捩れピッチｐＬＡＭが（０．４／ｎav）μｍよりも小さければ、入射光の選択反射による捩れ位相板の着色（色彩を帯びること）を防ぐことができる。」と訂正する。
　訂正事項ｄ
「【発明の効果】
　この発明によれば、ツイスト配向された液晶層のΔｎＴＮｄＴＮの値が正の液晶セルの外側に、これを挟むように一対の偏光板を配置し、一方の偏光板と液晶セルの間に、
　　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭｄＬＡＭの値が負となる有機高分子フィルムからなる少なくとも１枚の捩れ位相板とを配置したので、この捩れ位相板によって液晶セルを垂直に透過する光と、斜めに透過する光の各光路長の差が補償され、中間階調表示の際の明るさの逆転現象が抑制される。
その結果、多階調中間調表示において正しい階調を視角の変化に拘わらず安定して表示でき、多階調中間調表示における視野角特性を改善することができる。」を、
「【発明の効果】
　この発明によれば、ツイスト配向された液晶層のΔｎＴＮｄＴＮの値が正の液晶セルのと、この液晶セルの外側にこれを挟むように一対の偏光板を配置し、一方の偏光板と液晶セルの間に、ツイスト配向の捩れピッチｐＬＡＭが可視光帯域の下限の波長の１／５より小さく、
　　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭｄＬＡＭの値が負の有機高分子フィルムからなる少なくとも１枚の捩れ位相板とを配置したので、この捩れ位相板によって液晶セルを垂直に透過する光と、斜めに透過する光の各光路長の差が補償され、中間階調表示の際の明るさの逆転現象が抑制される。その結果、多階調中間調表示において正しい階調を視角の変化に拘わらず安定して表示でき、多階調中間調表示における視野角特性を改善することができる。」と訂正する。
　イ．訂正の目的の適否、新規事項の追加の有無及び特許請求の範囲の拡張又は変更の存否
　訂正事項ａについて
　この訂正事項ａは、訂正前の請求項１に係る発明を実質的に削除し、訂正前の請求項２に係る発明を訂正後の請求項１に係る発明とし、訂正前の請求項３に係る発明を独立した形式の訂正後の請求項３に係る発明とし、そして、訂正前の請求項４に係る発明を訂正後の請求項１に係る発明を引用する形式の訂正後の請求項２に係る発明とするように訂正するものであるから、特許請求の範囲の減縮及び明りょうでない記載の釈明に該当し、新規事項を追加するものでなく、特許請求の範囲を実質的に拡張又は変更するものでもない。
　訂正事項ｂ〜ｄについて
　この訂正事項ｂ〜ｄは、上記訂正事項ａの訂正に整合するように特許明細書の発明の詳細な説明の記載事項を訂正するものであるから、明りょうでない記載の釈明に該当し、新規事項を追加するものでなく、特許請求の範囲を実質的に拡張又は変更するものでもない。
　ウ．むすび
　以上のとおり、上記訂正請求は、特許法第１２０条の４第２項及び同条第３項で準用する平成６年法改正前の特許法第１２６条第１項ただし書き及び第２項の規定に適合するので、当該訂正を認める。
３．特許異議申立について
　ア．本件発明
　訂正後の特許明細書の特許請求の範囲の請求項１に係る発明（以下、本件発明という。）は、上記「２．ア．訂正事項ａ」に記載したとおりのものである。
　イ．異議申立の理由の概要
　異議申立人　浅野浩一は、証拠として甲第１号証（Ａｐｐｌ．Ｐｈｙｓ．Ｌｅｔｔ．６０（１５），１８０６〜１８０８頁）、甲第２号証（特開平１−２２２２２０号公報及び甲第３号証（Ｗ．Ｈ．ｄｅ　Ｊｅｕ著石井力他１名訳「液晶の物性」１９９１年４月１日共立出版（株）発行第４０〜４１頁）を提出し、訂正前の請求項１に係る発明は、特許法第２９条第２項の規定に違反して特許されたものであるから、その特許は取り消されるべき旨主張している。
　ウ．当審の判断
　ところが、異議申立のなされた訂正前の請求項１に係る発明は上記訂正により実質的に削除され、異議申立の対象が実質的に存在しなくなったので、この異議申立は、不適法なものとなった。
　したがって、本件異議申立は、特許法第１２０条の６第１項で準用する第１３５条の規定によって却下すべきものである。
　よって、結論のとおり決定する。
【異議決定日】
平成１４年１１月６日（２００２．１１．６）
【訂正の要旨】
訂正の要旨
　▲１▼　訂正事項ａ
　願書に最初に添付した明細書の特許請求の範囲の記載
　「【請求項１】
　液晶分子がツイスト配向され、屈折率異方性をΔｎＴＮ、ギャップをｄＴＮとしたとき、ΔｎＴＮｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、
　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負である少なくとも１枚の捩れ位相板とを備えたことを特徴とする液晶表示装置。
　【請求項２】
　前記捩れ位相板の振れピッチｐＬＡＭは可視光帯域の下限の波長の１／５より小さいことを特徴とする請求項１記載の液晶表示装置。
　【請求項３】
　前記捩れ位相板の平均屈折率をｎａｖとしたとき、前記捩れ位相板の捩れピッチｐＬＡＭは（０．４／ｎａｖ）μｍよりも小さいことを特徴とする請求項１記載の液晶表示装置。
　【請求項４】
　前記捩れ位相板のΔＮＬＡＭ　ｄＬＡＭの値が−３０〜−６００ｎｍで、前記捩れ位相板のツイスト角は５回転以上であることを特徴とする請求項１記載の液晶表示装置。」
を、
　「【請求項１】
　液晶分子がツイスト配向され、屈折率異方性をΔｎＴＮ、ギャップをｄＴＮとしたとき、ΔｎＴＮ　ｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、
前記ツイスト配向の捩れピッチｐＬＡＭが可視光帯域の下限の波長の１／５より小さく、
　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負である少なくとも１枚の捩れ位相板とを備えたことを特徴とする液晶表示装置。
　【請求項２】
　前記捩れ位相板のΔＮＬＡＭ　ｄＬＡＭの値が−３０〜−６００ｎｍ
であ
　【請求項３】
　
液晶分子がツイスト配向され、屈折率異方性をΔｎＴＮ、ギャップをｄＴＮとしたとき、ΔｎＴＮ　ｄＴＮの値が正の単一の液晶セルと、この液晶セルの外側にこの液晶セルを挟むように配置された一対の偏光板と、この一対の偏光板の一方と前記液晶セルとの間に配され、分子をツイスト配向させた高分子液晶フィルムを保護膜で挟んだ構造を備え、前記高分子液晶フィルムの
く、
　　
ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負である少なくとも一枚の捩れ位相板とを備えたことを特徴とする液晶表示装置
と訂正する。
　▲２▼　訂正事項ｂ
　願書に最初に添付した明細書の段落番号【０００７】の記載
　「【課題を解決するための手段】
　請求項１の発明は、液晶分子がツイスト配向され、屈折率異方性をΔｎＴＮ、ギャップをｄＴＮとしたとき、ΔｎＴＮ　ｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、
　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負である少なくとも１枚の捩れ位相板とを備えたものである。請求項２の発明は、捩れ位相板の捩れピッチｐＬＡＭが可視光帯域の下限の波長の１／５より小さいものである。請求項３の発明は、捩れ位相板の平均屈折率をｎａｖとしたとき、捩れ位相板の捩れピッチｐＬＡＭが（０．４／ｎａｖ）μｍよりも小さいものである。請求項４の発明は、捩れ位相板のΔＮＬＡＭ　ｄＬＡＭの値が−３０〜−６００ｎｍで、捩れ位相板のツイスト角が５回転以上である。」
を、
　「【課題を解決するための手段】
　請求項１の発明は、液晶分子がツイスト配向され、屈折率異方性をΔｎＴＮ、ギャップをｄＴＮとしたとき、ΔｎＴＮ　ｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、
前記ツイスト配向の捩れピッチｐＬＡＭが可視光帯域の下限の波長の１／５より小さく、
　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負である少なくとも１枚の捩れ位相板とを備えたものである。また、請求項２の発明は、捩れ位相板の
ΔＮＬＡＭ　ｄＬＡＭの値を−３０〜−６００ｎｍとしたものである
　さらに、請求項３の発明は、
液晶分子がツイスト配向され、屈折率異方性をΔｎＴＮ、ギャップをｄＴＮとしたとき、ΔｎＴＮ　ｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、前記高分子液晶フィルムの平均屈折率をｎａｖとしたとき、前記ツイスト配向の捩れピッチｐＬＡＭが（０．４／ｎａｖ）μｍよりも小さく、
　　
ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負である少なくとも一枚の捩れ位相板とを備えたものである
と訂正する。
　▲３▼　訂正事項ｃ
　願書に最初に添付した明細書の段落番号【０００８】の記載
　「　この発明によれば、ツイスト配向された液晶層のΔｎＴＮ　ｄＴＮの値が正の液晶セルのと、この液晶セルの外側にこれを挟むように一対の偏光板を配置し、一方の偏光板と液晶セルの間に、
　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負となる有機高分子フィルムからなる少なくとも１枚の捩れ位相板とを配置したので、この捩れ位相板によって液晶セルを垂直に透過する光と、斜めに透過する光の各光路長の差が補償され、多階調中間調表示の際の明るさの逆転現象が抑制でき、多階調中間調表示における視野角特性が改善される。この場合、請求項２に記載の如く、捩れ位相板は分子の捩れピッチｐＬＡＭを入射光の可視光帯域の下限の波長の１／５より小さくすることにより、捩れ位相板の有効屈折率異方性ΔＮＬＡＭを負の値にすることができる。また、請求項３に記載の如く、入射光の波長λが可視光の波長帯域の下限値の０．４μｍで、捩れ位相板の平均屈折率をｎａｖとしたとき、捩れ位相板の捩れピッチｐＬＡＭが（０．４／ｎａｖ）μｍよりも小さければ、入射光の選択反射による捩れ位相板の着色（色彩を帯びること）を防ぐことができる。また、請求項４に記載のごとく、捩れ位相板のΔＮＬＡＭ　ｄＬＡＭの値が−３０〜−６００ｎｍで、捩れ位相板のツイスト角が５回転以上であれば、より一層、多階調中間調表示において正しい階調を視角によらず安定して表示できる。さらに、請求項５に記載の如く、分子が５回転以上でツイスト配向された高分子液晶フィルムを保護膜で挟んだ構造の捩れ位相板を用いれば、各捩れ位相板の製造が容易で、薄く形成することができ、これにより液晶表示装置の小型化が図れる。」
を、
　「　この発明によれば、ツイスト配向された液晶層のΔｎＴＮ　ｄＴＮの値が正の液晶セルのと、この液晶セルの外側にこれを挟むように一対の偏光板を配置し、一方の偏光板と液晶セルの間に、
ツイスト配向の捩れピッチｐＬＡＭが可視光帯域の下限の波長の１／５より小さく、
　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負
の
少なくとも一枚の
ΔＮＬＡＭ　ｄＬＡＭの値が−３０〜−６００ｎｍとすることより、多階調中間調表示において正しい階調を視角によらず安定して表示できる
と訂正する。
　▲４▼　訂正事項ｄ
　願書に最初に添付した明細書の段落番号【００１７】の記載
　「【発明の効果】
　この発明によれば、ツイスト配向された液晶層のΔｎＴＮ　ｄＴＮの値が正の液晶セルの外側に、これを挟むように一対の偏光板を配置し、一方の偏光板と液晶セルの間に、
　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負となる有機高分子フィルムからなる少なくとも１枚の捩れ位相板とを配置したので、この捩れ位相板によって液晶セルを垂直に透過する光と、斜めに透過する光の各光路長の差が補償され、中間階調表示の際の明るさの逆転現象が抑制される。その結果、多階調中間調表示において正しい階調を視角の変化に拘わらず安定して表示でき、多階調中間調表示における視野角特性を改善することができる。」
を、
　「【発明の効果】
　この発明によれば、ツイスト配向された液晶層のΔｎＴＮ　ｄＴＮの値が正の液晶セルの外側に、これを挟むように一対の偏光板を配置し、一方の偏光板と液晶セルの間に、
ツイスト配向の捩れピッチｐＬＡＭが可視光帯域の下限の波長の１／５より小さく、
　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負
の
と訂正する。
（５４）【発明の名称】
液晶表示装置
（５７）【特許請求の範囲】
　【請求項１】
　液晶分子がツイスト配向され、屈折率異方性をΔｎＴＮ、ギャップをｄＴＮとしたとき、ΔｎＴＮ　ｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、
前記ツイスト配向の捩れピッチｐＬＡＭが可視光帯域の下限の波長の１／５より小さく、
　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負である少なくとも１枚の捩れ位相板とを備えたことを特徴とする液晶表示装置。
　【請求項２】
　前記捩れ位相板のΔＮＬＡＭ　ｄＬＡＭの値が−３０〜−６００ｎｍ
であ
　【請求項３】
　
液晶分子がツイスト配向され、屈折率異方性をΔｎＴＮ、ギャップをｄＴＮとしたとき、ΔｎＴＮ　ｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、前記高分子液晶フィルムの
く、
　　
ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負である少なくとも一枚の捩れ位相板とを備えたことを特徴とする液晶表示装置
【発明の詳細な説明】
　【０００１】
　【産業上の利用分野】
　この発明はツイステッドネマティック型の液晶表示装置に関する。
　【０００２】
　【従来技術】
　ワードプロセッサやパーソナルコンピュータ等のディスプレイとして用いられる液晶表示装置には、ＴＦＴ−ＴＮ型の液晶表示装置が用いられている。この液晶表示装置は、各画素ごとに駆動用の薄膜トランジスタ（ＴＦＴ）が配設されたツイステッドネマティック（ＴＮ）型の液晶セルを有し、通常はこの液晶セルの光入射側に偏光子がその透過軸を液晶セルの光入射側基板の配向処理方向に直交させて配設され、液晶セルの光出射側に検光子がその透過軸を前記偏光子の透過軸とほぼ直交させて配設されている。この従来の液晶表示装置は各画素にスタティック的な電圧を印加して駆動することができるので、単純マトリックス型の液晶表示装置に比べてコントラストが高く、視野角も比較的広い。
　【０００３】
　【発明が解決しようとする課題】
　しかしながら、このような従来のＴＮ型の液晶表示装置では、多階調中間調を表示する際に視角によって明るさの逆転現象が表れ、階調表示が乱れるという欠点がある。
　【０００４】
　図３（ａ）〜図３（ｄ）に従来の典型的な液晶表示装置において４段階の階調ごとの等Ｙ値（透過率値）曲線を示した。この液晶表示装置の液晶セルは、液晶分子が光の進行方向に沿って左回りに９０°ツイスト配向され、屈折率異方性Δｎとギャップｄとの積Δｎｄの値が４０３ｎｍで、ギャップｄとナチュラルピッチｐとの比ｄ／ｐが約０．０５で、プレチルト角が３°となっている。また、４階調を実現する各電圧は、明状態電圧を１．５Ｖ、暗状態電圧を６．０Ｖとし、２つの中間調電圧は１．５Ｖを印加したときのＹ値を３等分して得られる２つの中間Ｙ値に対応する電圧とし、電圧の低い方から順に第１階調電圧Ｖ１＝１．５０［Ｖ］、第２階調電圧Ｖ２＝２．０６［Ｖ］、第３階調電圧Ｖ３＝２．４３［Ｖ］、第４階調電圧Ｖ４＝６．０［Ｖ］とする。これらの図で、同心円は内側からそれぞれ液晶表示装置の基板の法線方向に対して１０°、２０°、３０°、４０°、および５０°傾けた視角を表わし、黒四角（■）はＹ値が１０、白四角（□）はＹ値が２０、黒三角（▲）はＹ値が３０をそれぞれ表している。これらの図から明らかなように、どの電圧においても、上方向近辺が明るく、下方向近辺が暗いことがわかる。
　【０００５】
　図４（ａ）〜図４（ｃ）に、それぞれ隣接する階調間のＹ値の比で求められる等コントラスト曲線（Ｙ１／Ｙ２、Ｙ２／Ｙ３、Ｙ３／Ｙ４）を示した。これらの図で、同心円は内側からそれぞれ液晶表示装置の基板の法線方向に対して１０°、２０°、３０°、４０°、および５０°傾けた視角を表わし、黒丸（●）はコントラストが１以下、黒四角（■）はコントラストが１０、白四角（□）はコントラストが２０、黒三角（▲）はコントラストが５０、白三角（△）はコントラストが１００をそれぞれ表している。これらの図から明らかなように、コントラストが１以下の領域（図中斜線で示す部分であり、以下、中間調反転領域と呼ぶ）は、第２階調と第３階調との間および第３階調と第４階調との間で生じていることがわかる。図４（ｂ）に示す上方向近辺の中間調反転領域は、第２階調よりも第３階調の方が明るいために生じ、また図４（ｃ）に示す右下および左下方向の中間調反転領域は、第４階調電圧で光漏れがあるために生じる。このような多階調中間調表示の際の明るさの逆転は、正しい階調表示を乱すから液晶表示装置にとって大きな問題である。
　【０００６】
　この発明は、上述した実情に鑑みてなされたものであり、多階調中間調表示の際の明るさの逆転現象を防止し、正しい階調を安定して表示できる液晶表示装置を提供することを目的とするものである。
　【０００７】
　【課題を解決する為の手段】
　請求項１の発明は、液晶分子がツイスト配向され、屈折率異方性をΔｎＴＮ、ギャップをｄＴＮとしたとき、ΔｎＴＮ　ｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、
前記ツイスト配向の捩れピッチｐＬＡＭが可視光帯域の下限の波長の１／５より小さく、
　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負である少なくとも１枚の捩れ位相板とを備えたものである。また、請求項２の発明は、捩れ位相板の
ΔＮＬＡＭ　ｄＬＡＭの値を−３０〜−６００ｎｍとしたものである
　さらに、請求項３の発明は、
液晶分子がツイスト配向され、屈折率異方性をΔｎＴＮ、ギャップをｄＴＮとしたとき、ΔｎＴＮ　ｄＴＮの値が正の単一の液晶セルと、この液晶セルの外側にこの液晶セルを挟むように配置された一対の偏光板と、この一対の偏光板の一方と前記液晶セルとの間に配置され、分子をツイスト配向させた高分子液晶フィルムを保護膜で挟んだ構造を備え、前記高分子液晶フィルムの平均屈折率をｎａｖとしたとき、前記ツイスト配向の捩れピッチｐＬＡＭが（０．４／ｎａｖ）μｍよりも小さく、
　　
ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負である少なくとも一枚の捩れ位相板とを備えたものである。
　【０００８】
　この発明によれば、ツイスト配向された液晶層のΔｎＴＮ　ｄＴＮの値が正の液晶セルのと、この液晶セルの外側にこれを挟むように一対の偏光板を配置し、一方の偏光板と液晶セルの間に、
ツイスト配向の捩れピッチｐＬＡＭが可視光帯域の下限の波長の１／５より小さく、
　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負
の
少なくとも一枚の
ΔＮＬＡＭ　ｄＬＡＭの値が−３０〜−６００ｎｍとすることより、多調中間調表示において正しい階調を視角によらず安定して表示できる
　【０００９】
　【実施例】
　以下、この発明の一実施例について、図１および図２を参照して詳細に説明する。図１および図２に液晶表示装置の断面図および分解斜視図を示した。この液晶表示装置では、ツイステッドネマティック型の液晶セル１の入射側に偏光子２が設けられ、液晶セル１の出射側に検光子３が設けられ、液晶セル１と検光子３との間に捩れ位相板４が設けられている。
　【００１０】
　液晶セル１は、一方の電極５およびこの電極５の各画素ごとに配設された駆動用の薄膜トランジスタ（ＴＦＴ）６並びにこれらを覆う配向膜７が形成された下基板８と、前記一方の電極５と交差して対向する他方の電極９およびこの他方の電極９を覆う配向膜１０が形成された上基板１１と、上下の各基板８、１１を所定の間隔を隔てて接合するシール材１２と、これらの基板８、１１とシール材１２とに囲われた領域内に封入され、ギャップｄＴＮとナチュラルピッチｐＴＮの比ｄＴＮ／ｐＴＮの値が約０．０５の液晶材料１３とからなっている。なお、この液晶セル１は図面上で下方から光が入射されるものであり、以下では下基板を入射側基板８、上基板を出射側基板１１という。
　【００１１】
　入射側基板８と出射側基板１１の対向するそれぞれの面に形成された配向膜７、１０は、それぞれラビング等の配向処理が施されている。入射側基板８の配向膜７は、図２に示したように液晶セル１を正面から観察したとき水平な線に対して左上から右下方向に約４５°の傾きをもった方向７ａに配向処理が施されている。入射側基板８に対向する出射側基板１１の配向膜１０は、入射側基板８の配向処理方向７ａ（以下、入射側配向処理方向という）に対して出射側から見て左回りにほぼ９０°回転した方向１０ａに配向処理が施されている。このような配向処理により、液晶材料１３の液晶分子は出射側から見て右回りにほぼ９０°（φ）ツイストして配列し、液晶分子は約３°のプレチルト角を有している。そして、この液晶セル１のギャップｄＴＮと屈折率異方性ΔｎＴＮとの積ΔｎＴＮ　ｄＴＮの値は正であり、好ましくは３００〜６００ｎｍ（測定波長：５８９ｎｍ）の範囲に設定する。
　【００１２】
　偏光子２は、その透過軸２ａが液晶セル１の入射側配向処理方向７ａとほぼ直交するように配置されている。また、検光子３は、その透過軸３ａが偏光子２の透過軸２ａとほぼ直交するように配置されている。
　【００１３】
　捩れ位相板４は、図２（Ｂ）に示すように、その分子４ａがツイスト配向された有機高分子フィルムからなっており、例えば高分子液晶フィルム（液晶ポリマ）を三酢酸セルロース（ＴＡＣ）等からなる保護膜４ｂで挾んだ構造になっている。この捩れ位相板４の分子４ａは、５回転以上、好ましくは、１０〜１５回転程度捩れ配向し、そのツイスト角は、捩れ位相板４の厚さをｄＬＡＭ、捩れピッチをｐＬＡＭとしたとき、±（ｄＬＡＭ／ｐＬＡＭ）×３６０°である。そして、この捩れ位相板４の有効屈折率異方性ΔＮＬＡＭの値は、負に設定してある。即ち、捩れ位相板４の有効屈折率異方性ΔＮＬＡＭは、捩れ位相板４の異常光線に対する屈折率をｎｅ、常光線に対する屈折率をｎｏとしたとき、下記の（１）式で表わされる。
　　ΔＮＬＡＭ≡ｎｏ−√｛（ｎｅ２＋ｎｏ２）／２｝……（１）
捩れピッチｐＬＡＭが入射光の波長λよりも充分に小さい場合、上記（１）式のΔＮＬＡＭは負となる。本例の捩れ位相板４では、捩れピッチｐＬＡＭを可視光帯域の下限の波長の１／５より小さくしてあるので、ΔＮＬＡＭは負であり、有効屈折率異方性ΔＮＬＡＭと捩れ位相板４の厚さｄＬＡＭとの積ΔＮＬＡＭ・ｄＬＡＭの値は−３０〜−６００ｎｍ（測定波長：５８９ｎｍ）の範囲に設定されている。また、捩れ位相板４は、入射光の選択反射による着色を防ぐ必要があり、これを達成するための条件は次の（２）式で表わされる。この場合、可視光の波長λの範囲は０．４〜０．７μｍであるから、捩れ位相板４の平均屈折率をｎａｖとすると、捩れ位相板４の捩れピッチｐＬＡＭは、
　　ｐＬＡＭ＜（０．４／ｎａｖ）、またはｐＬＡＭ＞（０．７／ｎａｖ）……（２）
ただし、ｎａｖ≡（ｎｅ＋ｎｏ）／２
を満たす必要がある。したがって、入射光の選択反射による着色を防止するために、捩れ位相板４のピッチｐＬＡＭは、（２）式のうちのｐＬＡＭ＜（０．４／ｎａｖ）の条件を満足するように設定される。
　【００１４】
　このようなＴＮ型の液晶表示装置では、液晶セル１と検光子３との間に上述したような条件を満たす捩れ位相板４を配置したので、この捩れ位相板４によって液晶セル１を垂直に透過する光と斜めに透過する光の各ΔｎＴＮ　ｄＴＮの差が打ち消されて補償され、多階調中間調表示の際の明るさの逆転現象を抑制でき、多階調中間調表示において視角が変化しても正しい階調を安定して表示でき、多階調中間調表示における視野角特性を改善することができる。この場合、捩れ位相板４の捩れピッチｐＬＡＭは、入射光の波長λよりも充分に小さいので、捩れ位相板４の有効屈折率異方性ΔＮＬＡＭの値は負である。また、捩れ位相板４の捩れピッチｐＬＡＭは、（０．４／ｎａｖ）μｍよりも小さいので、可視光の選択反射による捩れ位相板４の着色を防ぐことができ、より一層、多階調中間調表示において正しい階調を視角によらず安定して表示できる。また、捩れ位相板４は分子が１０〜１５回転程度でツイスト配向された高分子液晶フィルムを保護膜で挾んだ構造であるから、製造が容易で、薄く形成することができ、これにより液晶表示装置の小型化を図ることができる。
　【００１５】
　なお、上述した実施例では、偏光子２の透過軸２ａを入射側配向処理方向７ａに直交させたが、これに限らず、透過軸２ａを入射側配向処理方向７ａに対し平行させてもよい。
　【００１６】
　また、上述した各実施例では、液晶セル１と検光子３との間に捩れ位相板４を配置したが、これに限らず、例えば液晶セル１と偏光子２との間に設けてもよい。
　【００１７】
　【発明の効果】
　この発明によれば、ツイスト配向された液晶層のΔｎＴＮ　ｄＴＮの値が正の液晶セルの外側に、これを挟むように一対の偏光板を配置し、一方の偏光板と液晶セルの間に、
ツイスト配向の捩れピッチｐＬＡＭが可視光帯域の下限の波長の１／５より小さく、
　　ΔＮＬＡＭ≡ｎｏ−√｛（ｎｅ２＋ｎｏ２）／２｝
で表わされる有効屈折率異方性ΔＮＬＡＭと厚さｄＬＡＭの積ΔＮＬＡＭ　ｄＬＡＭの値が負
の
【図面の簡単な説明】
　【図１】
　この発明の一実施例のＴＮ型の液晶表示装置の断面図。
　【図２】
　（Ａ）は図１の概略構成を示す分解斜視図、（Ｂ）は捩れ位相板の要部拡大断面図。
　【図３】
　従来の液晶表示装置を４つの階調で動作させたときの各階調における等Ｙ値（透過率値）曲線を示し、（ａ）は電圧Ｖ１を印加する第１階調の等Ｙ値曲線図、（ｂ）は電圧Ｖ２を印加する第２階調の等Ｙ値曲線図、（ｃ）は電圧Ｖ３を印加する第３階調の等Ｙ値曲線図、（ｄ）は電圧Ｖ４を印加する第４階調の等Ｙ値曲線図。
　【図４】
　図３において隣接する階調間の等コントラスト曲線を示し、（ａ）はＹ１／Ｙ２の等コントラスト曲線図、（ｂ）はＹ２／Ｙ３の等コントラスト曲線図、（ｃ）はＹ３／Ｙ４の等コントラスト曲線図。
　【符号の説明】
　１　液晶セル
　２　偏光子
　３　検光子
　４　捩れ位相板
　５、９　電極
　７、１０　配向膜
　８　入射側基板
　１１　出射側基板
　１２　シール材
　１３　液晶材料
　７ａ　入射側配向処理方向